(57)【要約】【課題】ＤＶＤの情報の再生時にＤＶＤの情報の再生を中止してＴＶモードに切り換えた後、再びＤＶＤモードに戻した場合に再生信号を即座にテレビジョン受像機に出力できるようにした光ディスク装置を提供する。【解決手段】ＤＶＤの情報が再生され、テレビジョン受像機から再生映像および再生音声が出力されている時に、ＴＶモードに切り換えられると、ＤＶＤから読み出された信号がデコードされたデータがＲＡＭに所定時間分バッファリングされる。バッファリングされた後、ＤＶＤレコーダの再生動作が一時停止される。そして、再びＤＶＤモードに切り換えられた時に、前記一時停止が解除され、ＲＡＭからデータが読み出されて再生信号としてテレビジョン受像機に出力されると共に、前記データの読み出しが完了した後、引き続きＤＶＤから読み出してデコードされたデータが再生信号としてテレビジョン受像機に出力される。【選択図】図４
2008130194.tif 000002
【特許請求の範囲】
【請求項１】
光ディスクに記録された情報を再生、または光ディスクに対して情報の記録／再生を行う光ディスク装置において、
テレビジョン受像機が接続され、操作手段の操作により、光ディスク装置からの再生信号をテレビジョン受像機に入力して再生映像および再生音声をテレビジョン受像機で出力させるビデオモードと、テレビジョン受像機にテレビ番組の映像および音声を出力させるテレビモードとのモード切換が可能に構成され、
ビデオモードに切り換えられて光ディスク装置が再生動作している状態の時に、操作手段の操作により、ビデオモードからテレビモードに切り換えられたか否かを判定するビデオ／テレビモード切換判定手段と、
前記ビデオモードからテレビモードに切り換えられたと判定された時に、光ディスクから読み出した信号をデコードしたデータをバッファメモリに所定時間分バッファリングさせるバッファリング手段と、
前記デコードしたデータがバッファメモリに所定時間分バッファリングされた後、光ディスク装置の再生動作を一時停止させる再生一時停止手段と、
テレビモードに切り換えられてテレビ番組の映像および音声がテレビジョン受像機から出力されている状態の時に、操作手段の操作により、テレビモードからビデオモードに切り換えられたか否かを判定するテレビ／ビデオモード切換判定手段と、
テレビモードからビデオモードに切り換えられたと判定された時に、光ディスク装置の一時停止を解除して、前記バッファリングされたデータをバッファメモリから読み出して再生信号としてテレビジョン受像機に出力させると共に、前記バッファメモリからのデータの読み出しが完了した後、引き続き光ディスクから読み出してデコードされたデータを再生信号としてテレビジョン受像機に出力させる再生制御手段と、を有するシステムコントローラを備えたことを特徴とする光ディスク装置。
【請求項２】
光ディスクに記録された情報を再生、または光ディスクに対して情報の記録／再生を行う光ディスク装置において、
テレビジョン受像機が接続され、操作手段の操作により、光ディスク装置からの再生信号をテレビジョン受像機に入力して再生映像および再生音声をテレビジョン受像機で出力させるビデオモードと、テレビジョン受像機にテレビ番組の映像および音声を出力させるテレビモードとのモード切換が可能に構成され、
ビデオモードからテレビモードに切り換えられた時に、光ディスクから読み出された信号をデコードしたデータをバッファメモリに所定時間分バッファリングさせた後、光ディスク装置の再生動作を一時停止させ、テレビモードからビデオモードに切り換えられた時に、前記一時停止を解除して、前記バッファリングされたデータをバッファメモリから読み出して再生信号としてテレビジョン受像機に出力させ、前記バッファメモリからのデータの読み出しが完了した後、引き続き光ディスクから読み出してデコードされたデータを再生信号としてテレビジョン受像機に出力させるシステムコントローラを備えたことを特徴とする光ディスク装置。
【請求項３】
前記システムコントローラは、ビデオモードに切り換えられて光ディスク装置が再生動作している状態の時に、操作手段の操作により、ビデオモードからテレビモードに切り換えられたか否かを判定するビデオ／テレビモード切換判定手段と、前記ビデオモードからテレビモードに切り換えられたと判定された時に、光ディスクから読み出した信号をデコードしたデータをバッファメモリに所定時間分バッファリングさせるバッファリング手段と、前記デコードしたデータがバッファメモリに所定時間分バッファリングされた後、光ディスク装置の再生動作を一時停止させる再生一時停止手段と、テレビモードに切り換えられてテレビ番組の映像および音声がテレビジョン受像機から出力されている状態の時に、操作手段の操作により、テレビモードからビデオモードに切り換えられたか否かを判定するテレビ／ビデオモード切換判定手段と、テレビモードからビデオモードに切り換えられたと判定された時に、光ディスク装置の一時停止を解除して、前記バッファリングされたデータをバッファメモリから読み出して再生信号としてテレビジョン受像機に出力させると共に、前記バッファメモリからのデータの読み出しが完了した後、引き続き光ディスクから読み出してデコードされたデータを再生信号としてテレビジョン受像機に出力させる再生制御手段と、を有することを特徴とする請求項２に記載の光ディスク装置。
【発明の詳細な説明】
【技術分野】
【０００１】
本発明は、光ディスクに記録された情報を再生、または光ディスクに対して情報の記録／再生を行う光ディスク装置に関し、特に、ＤＶＤモード（ビデオモード）からＴＶモードに切り換えた時の処理、またはＴＶモードからＤＶＤモードに切り換えた時の処理に関する。
【背景技術】
【０００２】
光ディスクであるＤＶＤに記録された情報を再生するＤＶＤプレイヤやＤＶＤに対して情報の記録／再生を行うＤＶＤレコーダなどの光ディスク装置、あるいはテレビジョン受像機などのようなリモコンの操作対象である機器は、それぞれの付属のリモコンにより遠隔操作することができるように構成されている。そして、機能が多い操作対象機器ほどリモコンの操作キーが多くなるが、これらのリモコンを共通化して１個のリモコンで、光ディスク装置とテレビジョン受像機を操作する使い方が多い。
【０００３】
光ディスク装置にテレビジョン受像機が接続された場合、光ディスク装置の機能の方がテレビジョン受像機の機能よりも多いので、光ディスク装置に付属されているリモコンにより、テレビジョン受像機も操作できるようになっている。このように、光ディスク装置にテレビジョン受像機が接続された場合、ユーザが光ディスク装置に付属されているリモコンのＤＶＤモード切換キーを押下すると、光ディスク装置からの再生信号をテレビジョン受像機に入力して再生映像および再生音声をテレビジョン受像機で出力させるＤＶＤモード（ビデオモード）に切り換えることができる。また、ユーザがリモコンのＤＶＤモード切換キーを押下すると、テレビジョン受像機にテレビ番組の映像および音声を出力させるＴＶモードに切り換えることができる。
【特許文献１】特開２００１−２９１３２８号公報
【特許文献２】特開２００４−２６５５３４号公報
【発明の開示】
【発明が解決しようとする課題】
【０００４】
ところで、ユーザが、ＤＶＤの再生映像および再生音声をテレビジョン受像機に出力させ、テレビジョン受像機を視聴しているときに、テレビ番組の方が気になって、リモコンのＴＶモード切換キーを押下して、光ディスク装置およびテレビジョン受像機の動作モードをＴＶモードに設定すると、光ディスク装置は、再生動作を停止し、テレビジョン受像機は、ＤＶＤモードからＴＶモードに切り換わり、テレビ番組の映像および音声を出力し、これにより、ユーザはテレビ番組を視聴することができる。次に、ユーザは、再び、ＤＶＤの再生映像および再生音声を視聴したいため、リモコンのＤＶＤモード切換キーを押下すると、光ディスク装置は、ＴＶモードからＤＶＤモードに切り換えられ、光ディスク装置は、停止した続きから再生させるリジューム機能によって、引き続き停止した箇所から再生を行う。
【０００５】
しかしながら、従来の光ディスク装置では、ＴＶモードからＤＶＤモードに切り換えられた場合、停止した続きから再生させるリジューム機能によって、引き続き停止した箇所から再生を行うが、ＤＶＤから情報を読み出してデコード処理などを行うため、リモコンのＤＶＤモード切換キーが押下されてからＤＶＤの再生映像および再生音声がテレビジョン受像機に出力されるまで、例えば３秒位かかるので、ユーザにとっては使用感が劣るという課題があった。
【０００６】
なお、特許文献の従来技術では、再生を停止する旨の指示が外部から為されたとき、バッファ手段に情報を蓄積したまま再生を停止すると共に、再生を再開する旨の指示が外部から為されたとき、バッファ手段に蓄積されている情報を出力することで、再生の再開を早くするようにしているが、光ディスク装置がテレビジョン受像機に接続され、光ディスク装置に付属されているリモコンにより、テレビジョン受像機も操作できるようになっている構成において、ＴＶモードからＤＶＤモードに切り換えられた場合について、リモコンのＤＶＤモード切換キーが押下されてからＤＶＤの再生映像および再生音声がテレビジョン受像機に出力されるまでの時間の短縮を図るための対策については開示されていないので、上記のような課題を解決できるものではない。
【０００７】
特許文献２の従来技術では、停止時に設定された位置から所定量の情報をバッファメモリに記憶して電源の供給を停止し、次回の情報処理を行う際には電源の投入後にバッファメモリに記憶された情報から処理を行って、再生の再開を早くするようにしているが、この従来技術も、光ディスク装置がテレビジョン受像機に接続され、光ディスク装置に付属されているリモコンにより、テレビジョン受像機も操作できるようになっている構成において、ＴＶモードからＤＶＤモードに切り換えられた場合について、リモコンのＤＶＤモード切換キーが押下されてからＤＶＤの再生映像および再生音声がテレビジョン受像機に出力されるまでの時間の短縮を図るための対策については開示されていないので、上記のような課題を解決できるものではない。
【０００８】
本発明は、上記のような課題を解決するためになされたもので、光ディスクの情報の再生時に、光ディスクの情報の再生を中止して、テレビモードに切り換えた後、再びビデオモードに戻した場合に、再生信号を即座にテレビジョン受像機に出力できるようにした光ディスク装置を提供することを目的とする。
【課題を解決するための手段】
【０００９】
上記目的を達成するために、請求項１の発明は、テレビジョン受像機が接続され、操作手段の操作により、光ディスク装置からの再生信号をテレビジョン受像機に入力して再生映像および再生音声をテレビジョン受像機で出力させるビデオモードと、テレビジョン受像機にテレビ番組の映像および音声を出力させるテレビモードとのモード切換が可能に構成され、ビデオモードに切り換えられて光ディスク装置が再生動作している状態の時に、操作手段の操作により、ビデオモードからテレビモードに切り換えられたか否かを判定するビデオ／テレビモード切換判定手段と、前記ビデオモードからテレビモードに切り換えられたと判定された時に、光ディスクから読み出した信号をデコードしたデータをバッファメモリに所定時間分バッファリングさせるバッファリング手段と、前記デコードしたデータがバッファメモリに所定時間分バッファリングされた後、光ディスク装置の再生動作を一時停止させる再生一時停止手段と、テレビモードに切り換えられてテレビ番組の映像および音声がテレビジョン受像機から出力されている状態の時に、操作手段の操作により、テレビモードからビデオモードに切り換えられたか否かを判定するテレビ／ビデオモード切換判定手段と、テレビモードからビデオモードに切り換えられたと判定された時に、光ディスク装置の一時停止を解除して、前記バッファリングされたデータをバッファメモリから読み出して再生信号としてテレビジョン受像機に出力させると共に、前記バッファメモリからのデータの読み出しが完了した後、引き続き光ディスクから読み出してデコードされたデータを再生信号としてテレビジョン受像機に出力させる再生制御手段とを有するシステムコントローラを備えたことを特徴とする光ディスク装置を提供する。
【００１０】
この構成において、光ディスクの情報が再生され、テレビジョン受像機から再生映像および再生音声が出力されている時に、ユーザがテレビ番組を視聴したくなって、リモコンのテレビモード切換キーが押下されると、ビデオ／テレビモード切換判定手段は、ビデオモードからテレビモードに切り換えられたと判定する。そして、バッファリング手段は、光ディスクから読み出された信号がデコードされたデータをバッファメモリに所定時間分バッファリングさせる。次に、再生一時停止手段は、前記デコードされたデータがバッファメモリに所定時間分バッファリングされた後、光ディスク装置の再生動作を一時停止させる。このような状態のときに、ユーザが、テレビ番組の視聴から再び光ディスクの再生情報を視聴したくなって、ユーザによりリモコンのビデオモード切換キーが押下されると、テレビ／ビデオモード切換判定手段は、テレビモードからビデオモードに切り換えられたと判定する。このように、テレビモードからビデオモードに切り換えられたと判定された時に、再生制御手段は、光ディスク装置の一時停止を解除して、前記バッファリングされたデータをバッファメモリから読み出して再生信号としてテレビジョン受像機に出力させると共に、バッファメモリからのデータの読み出しが完了した後、引き続き光ディスクから読み出してデコードされたデータを再生信号としてテレビジョン受像機に出力させる。
【００１１】
この構成によれば、光ディスクの情報の再生時に、光ディスクの情報の再生を中止して、テレビモードに切り換えた際、光ディスクから読み出した信号をデコードしたデータを所定時間分バッファメモリにバッファリングした後、光ディスク装置の再生動作を一時停止状態にし、再びビデオモードに戻した時に、前記バッファリングしておいたデータをバッファメモリから読み出し、再生信号としてテレビジョン受像機に出力するようにしたので、光ディスクの情報の再生を中止して、テレビモードに切り換えた後、再びビデオモードに戻した場合、即座にテレビジョン受像機から再生映像および再生音声が出力され、ユーザにとっては使用感が向上する。
【００１２】
請求項２の発明は、テレビジョン受像機が接続され、操作手段の操作により、光ディスク装置からの再生信号をテレビジョン受像機に入力して再生映像および再生音声をテレビジョン受像機で出力させるビデオモードと、テレビジョン受像機にテレビ番組の映像および音声を出力させるテレビモードとのモード切換が可能に構成され、ビデオモードからテレビモードに切り換えられた時に、光ディスクから読み出された信号をデコードしたデータをバッファメモリに所定時間分バッファリングさせた後、光ディスク装置の再生動作を一時停止させ、テレビモードからビデオモードに切り換えられた時に、前記一時停止を解除して、前記バッファリングされたデータをバッファメモリから読み出して再生信号としてテレビジョン受像機に出力させ、前記バッファメモリからのデータの読み出しが完了した後、引き続き光ディスクから読み出してデコードされたデータを再生信号としてテレビジョン受像機に出力させるシステムコントローラを備えたことを特徴とする光ディスク装置を提供する。
【００１３】
この構成において、光ディスクの情報が再生され、テレビジョン受像機から再生映像および再生音声が出力されている時に、ユーザがテレビ番組を視聴したくなって、リモコンのテレビモード切換キーが押下され、ビデオモードからテレビモードに切り換えられた時に、光ディスクから読み出された信号がデコードされたデータがバッファメモリに所定時間分バッファリングされる。次に、前記デコードされたデータがバッファメモリに所定時間分バッファリングされた後、光ディスク装置の再生動作が一時停止される。このような状態のときに、ユーザが、テレビ番組の視聴から再び光ディスクの再生情報を視聴したくなって、ユーザによりリモコンのビデオモード切換キーが押下され、テレビモードからビデオモードに切り換えられた時に、光ディスク装置の一時停止が解除され、前記バッファリングされたデータがバッファメモリから読み出されて再生信号としてテレビジョン受像機に出力されると共に、バッファメモリからのデータの読み出しが完了した後、引き続き光ディスクから読み出してデコードされたデータが再生信号としてテレビジョン受像機に出力される。
【００１４】
この構成によれば、光ディスクの情報の再生時に、光ディスクの情報の再生を中止して、テレビモードに切り換えた際、光ディスクから読み出した信号をデコードしたデータを所定時間分バッファメモリにバッファリングした後、光ディスク装置の再生動作を一時停止状態にし、再びビデオモードに戻した時に、前記バッファリングしておいたデータをバッファメモリから読み出し、再生信号としてテレビジョン受像機に出力するようにしたので、光ディスクの情報の再生を中止して、テレビモードに切り換えた後、再びビデオモードに戻した場合、即座にテレビジョン受像機から再生映像および再生音声が出力され、ユーザにとっては使用感が向上する。
【００１５】
請求項３の発明では、請求項２に発明において、前記システムコントローラは、ビデオモードに切り換えられて光ディスク装置が再生動作している状態の時に、操作手段の操作により、ビデオモードからテレビモードに切り換えられたか否かを判定するビデオ／テレビモード切換判定手段と、前記ビデオモードからテレビモードに切り換えられたと判定された時に、光ディスクから読み出した信号をデコードしたデータをバッファメモリに所定時間分バッファリングさせるバッファリング手段と、前記デコードしたデータがバッファメモリに所定時間分バッファリングされた後、光ディスク装置の再生動作を一時停止させる再生一時停止手段と、テレビモードに切り換えられてテレビ番組の映像および音声がテレビジョン受像機から出力されている状態の時に、操作手段の操作により、テレビモードからビデオモードに切り換えられたか否かを判定するテレビ／ビデオモード切換判定手段と、テレビモードからビデオモードに切り換えられたと判定された時に、光ディスク装置の一時停止を解除して、前記バッファリングされたデータをバッファメモリから読み出して再生信号としてテレビジョン受像機に出力させると共に、前記バッファメモリからのデータの読み出しが完了した後、引き続き光ディスクから読み出してデコードされたデータを再生信号としてテレビジョン受像機に出力させる再生制御手段とを有することを特徴とする。
【００１６】
したがって、前記システムコントローラは、ビデオ／テレビモード切換判定処理、バッファリング処理、再生一時停止処理、テレビ／ビデオモード切換判定処理、および再生制御処理を実現でき、これにより、光ディスクの情報の再生時に、光ディスクの情報の再生を中止して、テレビモードに切り換えた際、光ディスクから読み出した信号をデコードしたデータを所定時間分バッファメモリにバッファリングした後、光ディスク装置の再生動作を一時停止状態にし、再びビデオモードに戻した時に、前記バッファリングしておいたデータをバッファメモリから読み出し、再生信号としてテレビジョン受像機に出力することが可能になる。
【発明の効果】
【００１７】
以上のように本発明によれば、光ディスクの情報の再生時に、光ディスクの情報の再生を中止して、テレビモードに切り換えた際、光ディスクから読み出した信号をデコードしたデータを所定時間分バッファメモリにバッファリングした後、光ディスク装置の再生動作を一時停止状態にし、再びビデオモードに戻した時に、前記バッファリングしておいたデータをバッファメモリから読み出し、再生信号としてテレビジョン受像機に出力するようにしたので、光ディスクの情報の再生を中止して、テレビモードに切り換えた後、再びビデオモードに戻した場合、即座にテレビジョン受像機から再生映像および再生音声が出力され、ユーザにとっては使用感が向上する。
【発明を実施するための最良の形態】
【００１８】
以下、添付図面を参照しつつ、本発明の実施の形態について説明する。図１は本発明の一実施形態に係る光ディスク装置としてのＤＶＤレコーダの構成を示すブロック図である。ここでは、光ディスク装置としてＤＶＤレコーダの構成について説明するが、ＤＶＤプレイヤについても、同じように、本実施形態の特徴とするＤＶＤモード（ビデオモード）からＴＶモードに切り換えた時の処理、またはＴＶモードからＤＶＤモードに切り換えた時の処理を適用できることは言うまでもない。
【００１９】
このＤＶＤレコーダは、装置全体を制御するシステムコントローラ２２と、光ディスク（ＤＶＤやＣＤ）１を回転させるスピンドルモータ５と、光ディスク１に対して情報の書き込み／読み出しを光学的に行う光ピックアップ２と、この光ピックアップ２を光ディスク１の半径方向に移動させるためのスレッド３と、システムコントローラ２２の指示に応じてスピンドルモータ５およびスレッド３を駆動すると共に光ピックアップ２に内蔵された対物レンズ（図示せず）を動かすことによりレーザ光の焦点位置を光ディスク１の記録面に対して垂直方向および水平方向に移動させる制御を行うサーボ制御部４とを備えている。
【００２０】
また、このＤＶＤレコーダは、光ディスク１の再生時に光ピックアップ２からの読取信号であるＲＦ信号を増幅するＲＦアンプ６と、このＲＦアンプ６から出力されたＲＦ信号をデジタルデータに変換した後に光ディスク１のデータフォーマットに応じた信号復調処理と誤り訂正処理を行って生成したデータをＲＡＭ７に格納するデジタル信号処理部８と、システムコントローラ２２の指示に応じてデジタル信号処理部８から出力されたデータストリームの中からオーディオデータとサブピクチャデータとビデオデータとを分離するストリーム分離部９とを備えている。
【００２１】
また、このＤＶＤレコーダは、ストリーム分離部９から出力されたオーディオデータを入力して所定のデコード処理を行うオーディオデコーダ１１と、このオーディオデコーダ１１でのデコード処理を行うためにデータを一時的に格納するＲＡＭ１０と、ストリーム分離部９から出力されたサブピクチャデータを入力して所定のデコード処理を行うサブピクチャデコーダ１３と、このサブピクチャデコーダ１３でのデコード処理を行うためにデータを一時的に格納するＲＡＭ１２と、ストリーム分離部９から出力されたビデオデータを入力してＭＰＥＧなどでデコード処理を行うビデオデコーダ１５と、このビデオデコーダ１５でのデコード処理を行うためにデータを一時的に格納するＲＡＭ１４とを備えている。
【００２２】
また、このＤＶＤレコーダは、システムコントローラ２２の指示に応じてビデオデコーダ１５から出力されたデータとサブピクチャデコーダ１３から出力されたデータとを合成するビデオプロセッサ１７と、このビデオプロセッサ１７から出力された合成データを表示用の映像信号に変換して、その映像信号を例えばテレビジョン受像機２０の映像回路に供給するビデオエンコーダ１８と、オーディオデコーダ１１から出力されたデータをアナログのオーディオ信号に変換して、そのオーディオ信号を例えばテレビジョン受像機２０の音声回路に供給するＤ／Ａ変換器１６とを備えている。
【００２３】
信号切換回路１９は、チューナ２９からの映像信号および音声信号を直接テレビジョン受像機２０に供給したり、再生モード時に光ディスク１から再生された映像信号および音声信号をテレビジョン受像機２０に供給したりするための回路であり、リモコン２１の操作信号に応答したシステムコントローラ２２により切換制御される。テレビジョン受像機２０には、図示しない内部のチューナで受信したテレビ番組の映像および音声を出力させる動作モードであるＴＶモードと、このＤＶＤレコーダからの再生信号を入力して再生映像および再生音声を出力させる動作モードであるＤＶＤモード（ビデオモード）との切り換えを行うモード切換回路２０１が備えられている。
【００２４】
なお、テレビジョン受像機２０に接続された光ディスク装置がＤＶＤレコーダ１００である場合は、ＤＶＤレコーダ１００にチューナ２９が内蔵されているので、テレビジョン受像機２０の入力モードをビデオモードに設定すれば、ＤＶＤレコーダ１００のチューナ２９により選局されたテレビ番組をテレビジョン受像機２０で視聴することもできるが、本実施形態では、リモコン２１によりＴＶモードに切り換えた場合は、テレビジョン受像機２０のチューナで選局されたテレビ番組を視聴することができるものとする。したがって、光ディスク装置がＤＶＤプレイヤである場合は、ＤＶＤプレイヤにはチューナが内蔵されていないので、ユーザが視聴できるテレビ番組は、テレビジョン受像機２０に内蔵されたチューナで選局されたテレビ番組である。
【００２５】
また、このＤＶＤレコーダは、システムコントローラ２２に対して、記録指示を与えるための記録キー、再生指示を与えるための再生キー、記録や再生の停止指示を与えるための停止キーなど、各種操作キーを有する操作手段としてのリモコン２１を備えている。なお、操作手段としては、図示しない本体操作部であっても良いが、本体操作部の操作キーの個数は、通常リモコン２１の操作キーの個数に比べ少なく、操作も基本的なものに限定される。また、このＤＶＤレコーダは、装置の各構成要素を制御したり、装置全体を制御したりするためのプログラムやデータが記憶されたフラッシュＲＯＭ２３と、このフラッシュＲＯＭ２３のプログラムやデータに従って演算処理を行いシステムコントローラ２２を制御するＣＰＵ２４と、このＣＰＵ２４の演算処理に必要なデータを一時的に格納するＲＡＭ２７とを備えている。
【００２６】
また、このＤＶＤレコーダは、アンテナ２８に接続されデジタルチューナとアナログチューナの機能を有するチューナ２９と、このチューナ２９で選局されたテレビジョン放送の映像音声信号、あるいは他の映像音声出力機器からの映像音声信号をエンコードできるようにデジタルの映像音声データに変換するＡ／Ｄ変換回路３０と、前記映像音声データをＭＰＥＧなどでエンコードするエンコーダ３１と、前記エンコードした映像音声データ（エンコードデータ）を一時的に所定量だけ格納するバッファメモリとしてのＲＡＭ３２と、記録データ変調回路２５と接続するインターフェースであるＡＴＡＰＩ（AT Attachment Packet Interface）３３と、このＡＴＡＰＩ３３から送られてきたエンコードデータを光ディスク１に記録するために変調をかける記録データ変調回路２５と、この記録データ変調回路２５により変調された変調データに基づいて光ピックアップ２から出射するレーザ光を変調させるためのレーザ変調信号を光ピックアップ２に出力するレーザ変調回路２６とを備えている。
【００２７】
システムコントローラ２２は、ＤＶＤモード（ビデオモード）に切り換えられてＤＶＤレコーダが再生動作している状態の時に、リモコン２１の操作により、ＤＶＤモードからＴＶモードに切り換えられたか否かを判定するビデオ／テレビモード切換判定手段と、前記ＤＶＤモードからＴＶモードに切り換えられたと判定された時に、ＤＶＤから読み出した信号をデコードしたデータをＲＡＭ１４などに所定時間分バッファリングさせるバッファリング手段と、前記デコードしたデータがＲＡＭ１４に所定時間分バッファリングされた後、ＤＶＤレコーダの再生動作を一時停止させる再生一時停止手段と、ＴＶモードに切り換えられてテレビ番組の映像および音声がテレビジョン受像機２０から出力されている状態の時に、リモコン２１の操作により、ＴＶモードからＤＶＤモードに切り換えられたか否かを判定するテレビ／ビデオモード切換判定手段と、ＴＶモードからＤＶＤモードに切り換えられたと判定された時に、ＤＶＤレコーダの一時停止を解除して、前記バッファリングされたデータをＲＡＭ１４などから読み出して再生信号としてテレビジョン受像機２０に出力させると共に、ＲＡＭ１４などからのデータの読み出しが完了した後、引き続きＤＶＤから読み出してデコードされたデータを再生信号としてテレビジョン受像機２０に出力させる再生制御手段とを有する。
【００２８】
図２は本実施形態においてリモコンのキー配置の一例を示す図である。図２において、リモコン２１の操作パネル２００には、電源キー２１１、トレイ開閉キー２１２、音量キー２１３、複数の数字キー２１４、ＤＶＤモード切換キー２１５、ＴＶモード切換キー２１６、上方向きー２１７、下方向キー２１８、左方向キー２１９、右方向キー２２０、決定キー２２１、記録キー２２２、一時停止キー２２３、早戻しキー２２４、停止キー２２５、再生キー２２６、早送りキー２２７などが配置されている。なお、ここでのキーの配置は一例であるので、これに限ることはない。
【００２９】
図３は本実施形態におけるＤＶＤレコーダとテレビジョン受像機とが接続されている状態を示す簡略化した斜視図を示す。図３において、ＤＶＤレコーダ１００は、筐体１０１の前面の本体操作パネル１０２には、電源キー１０３、ＤＶＤやＣＤを挿入するためのトレイ１０４、表示部１０５などが設けられている。なお、これらの構成要素の配置は、一例であるので、これに限ることはない。
【００３０】
図４は本実施形態においてＤＶＤモードからＴＶモードに切り換えられた場合の処理とＴＶモードからＤＶＤモードに切り換えられた場合の処理とを説明するためのフローチャートである。このフローチャートおよび図１〜図３を参照してＤＶＤモードからＴＶモードに切り換えられた場合の処理とＴＶモードからＤＶＤモードに切り換えられた場合の処理とについて説明する。
【００３１】
先ず、ユーザは、ＤＶＤレコーダ１００のトレイ１０４に装填されたＤＶＤの情報を再生させるために、リモコン２１のＤＶＤモード切換キー２１５を押下する。これにより、システムコントローラ２２は、動作モードをＤＶＤモードに設定する（ステップＳ１）。即ち、システムコントローラ２２は、再生モード時にＤＶＤから再生された映像信号および音声信号をテレビジョン受像機２０に供給する側に信号切換回路１９を切り換えると共に、テレビジョン受像機２０のモード切換回路２０１を制御し、テレビジョン受像機２０の動作モードをＤＶＤモード（ビデオモード）に切り換える。
【００３２】
そして、ユーザによるリモコン２１の再生キー２２６の押下により、再生指示がされたことをシステムコントローラ２２が検知すると（ステップＳ２）、ＤＶＤに対する再生を開始させる（ステップＳ３）。そして、ＤＶＤの情報が再生され（ステップＳ４）、テレビジョン受像機２０から再生映像および再生音声が出力されている時に、ユーザがテレビ番組を視聴したくなって、リモコン２１のＴＶモード切換キー２１６が押下されると、システムコントローラ２２のビデオ／テレビモード切換判定手段は、ＤＶＤレコーダ１００が再生動作している状態の時に、リモコン２１の操作により、ＤＶＤモードからＴＶモードに切り換えられたと判定する（ステップＳ５）。
【００３３】
ＤＶＤモードからＴＶモードに切り換えられたと判定された時に、システムコントローラ２２のバッファリング手段は、ＤＶＤから読み出された信号をビデオデコーダ１５でデコードされたデータをバッファメモリとしてのＲＡＭ１４に所定時間分バッファリングさせる（ステップＳ６）。ＲＡＭ１４には、デコードされたビデオデータがバッファリングされることになるので、ＲＡＭ１４からのビデオデータを読み出せば、デコード処理を行う必要がないので、再生映像が直ぐにテレビジョン受像機２０に表示させることができる。また、オーディオデコーダ１１でデコードされたオーディオデータについてはＲＡＭ１０にバッファリングし、また、サブピクチャでコーダ１３でデコードされたサブピクチャデータについてはＲＡＭ１２にバッファリングすれば、再生音声や再生サブピクチャも直ぐにテレビジョン受像機２０から音声出力や映像表示を行うことができる。なお、前記所定時間とは、ＴＶモードからＤＶＤモードに切り換えられた時に、ＤＶＤレコーダ１００がＤＶＤから情報を読み出して、テレビジョン受像機２０で映像が表示されるまでの処理時間に相当する時間である。
【００３４】
そして、システムコントローラ２２の再生一時停止手段は、前記バッファリングが所定時間経過したことを検知すると（ステップＳ７）、ＤＶＤレコーダ１００の再生動作を一時停止させる（ステップＳ８）。そして、ユーザが、テレビ番組の視聴から再びＤＶＤの再生情報を視聴したくなって、ユーザによりリモコン２１のＤＶＤモード切換キー２１５が押下されると、システムコントローラ２２のテレビ／ビデオモード切換判定手段は、ＴＶモードからＤＶＤモードに切り換えられたと判定する（ステップＳ９）。
【００３５】
このように、ＴＶモードからＤＶＤモードに切り換えられたと判定された時に、システムコントローラ２２の再生制御手段は、ＤＶＤレコーダ１００の一時停止を解除して（ステップＳ１０）、前記バッファリングされたデータをＲＡＭ１５などから読み出して再生信号としてテレビジョン受像機２０に出力させると共に（ステップＳ１１）、ＲＡＭ１５などからデータの読み出しが完了した後（ステップＳ１２）、引き続きＤＶＤから読み出してデコードされたデータを再生信号としてテレビジョン受像機２０に出力させる（ステップＳ１３）。そして、ユーザによるリモコン２１の停止キー２２５の押下により、システムコントローラ２２は、停止指示されたことを検知すると（ステップＳ１４）、本処理を終了させる。
【００３６】
以上説明したように本実施形態によれば、ＤＶＤの情報の再生時に、ＤＶＤの情報の再生を中止して、ＴＶモードに切り換えた際、ＤＶＤから読み出した信号をデコードしたデータを所定時間分ＲＡＭ１４などにバッファリングした後、ＤＶＤレコーダ１００の再生動作を一時停止状態にし、再びＤＶＤモードに戻した時に、前記バッファリングしておいたデータをＲＡＭ１４などから読み出し、再生信号としてテレビジョン受像機２０に出力するようにしたので、ＤＶＤの情報の再生を中止して、ＴＶモードに切り換えた後、再びＤＶＤモードに戻した場合、即座にテレビジョン受像機２０から再生映像および再生音声が出力され、ユーザにとっては使用感が向上する。
【産業上の利用可能性】
【００３７】
本発明は、ＤＶＤレコーダやＤＶＤプレイヤなどの光ディスク装置に利用可能であり、ＴＶモードに切り換えた後、再びＤＶＤモードに戻した場合、即座にテレビジョン受像機から再生映像および再生音声を出力できるようにする。
【図面の簡単な説明】
【００３８】
【図１】本発明の一実施形態に係る光ディスク装置としてのＤＶＤレコーダの構成を示すブロック図である。
【図２】前記実施形態においてリモコンのキー配置の一例を示す図である。
【図３】前記実施形態におけるＤＶＤレコーダとテレビジョン受像機とが接続されている状態を示す簡略化した斜視図を示す。
【図４】前記実施形態においてＤＶＤモードからＴＶモードに切り換えられた場合の処理とＴＶモードからＤＶＤモードに切り換えられた場合の処理とを説明するためのフローチャートである。
【符号の説明】
【００３９】
１    光ディスク
２０    テレビジョン受像機
２１    リモコン（操作手段）
２２    システムコントローラ（ビデオ／テレビモード切換判定手段、バッファリング処理手段、再生一時停止手段、テレビ／ビデオモード切換判定手段、再生制御手段）
１００    ＤＶＤレコーダ（光ディスク装置）
【図１】
2008130194.tif 000003
【図２】
2008130194.tif 000004
【図３】
2008130194.tif 000005
【図４】
2008130194.tif 000006